(57)【要約】【課題】部材のコストを節約可能な室内照明装置を提供する。【解決手段】基板２はランプハウジング１に設置され、光源モジュール３の発光部材３１は基板２に設置される。また、光源モジュール３の放熱部材３２は基板２とランプハウジング１との間に設置され、透光マスク４はランプハウジング１の開口部１１側に設けられている。基板２と透光マスク４との間には反射マスク５が設けられている。光源モジュール３の発光部材３１は、反射マスク５の内部に突出しており、反射マスク５と透光マスク４と間に位置している。【選択図】図２
0003184313.tif 000002
【実用新案登録請求の範囲】
【請求項１】
一端に開口部が形成されており、側壁に通気可能な放熱孔が複数形成されているランプハウジングと、
前記ランプハウジングに収容されており、貫通穴を有する基板と、
前記基板の前記ランプハウジングとは反対側に位置している複数の発光部材、及び前記基板とランプハウジングとの間に位置している放熱部材を有し、前記発光部材および前記放熱部材のうちの何れか一方が前記基板の前記貫通孔に設けられており、他方が前記基板に固定されている少なくとも１つの光源モジュールと、
前記開口部に設けられている透光マスクと、
前記ランプハウジング内に収容されており、前記基板と前記透光マスクとの間に設けられている反射マスクと、を備え、
前記光源モジュールの前記発光部材は、前記反射マスクの内部に突出しており、前記反射マスクと前記透光マスクと間に位置していることを特徴とする室内照明装置。
【請求項２】
前記基板は、前記ランプハウジング内に水平に収容されており、外周縁に突起部が複数形成されており、
前記突起部の位置に対応している前記ランプハウジングの所定箇所に結合部材が穿設されていることにより、前記基板と前記ランプハウジングとを連結することを特徴とする請求項１に記載の室内照明装置。
【請求項３】
前記光源モジュールの前記放熱部材は、前記貫通穴に収容されている接続部を有し、当該接続部が固着部材により前記基板に固着されることにより前記基板に固定されており、
前記接続部はねじ部であり、
前記固着部材は前記接続部に螺設されているナットであることを特徴とする請求項１に記載の室内照明装置。
【請求項４】
前記反射マスクには、平行に形成されるシェルフ部が形成されており、
前記シェルフ部は、前記各光源モジュールの前記放熱部材に対応して形成されている穴を複数有することを特徴とする請求項１に記載の室内照明装置。  
【考案の詳細な説明】
【技術分野】
【０００１】
本考案は、室内照明装置に関する。
【背景技術】
【０００２】
特許文献１には、ＬＥＤ光源板、導電カバー、放熱導電座、制御回路基板及び放熱台座から構成されるＬＥＤの室内照明装置が記載されている。ＬＥＤ光源板にはＬＥＤが複数設置され、これらのＬＥＤが電源に接続されることで、照明を行う。
【先行技術文献】
【特許文献】
【０００３】
【特許文献１】台湾特許出願第Ｍ４０９３５２号明細書
【考案の概要】
【考案が解決しようとする課題】
【０００４】
しかしながら、従来の技術では、実用新案のＬＥＤ光源板が置き換え可能なタイプである。全体のＬＥＤ光源板が故障になると、便利に置き換えることができるが、一部のＬＥＤ光源板が故障した場合、故障した部分のＬＥＤのみを交換できなく、全体のＬＥＤ光源板を取り外し、新しく交換する必要がある。こうすると、正常に発光するＬＥＤの浪費となる。
【０００５】
そこで、本考案者は、上記の欠点が改善可能と考え、鋭意検討を重ねた結果、合理的かつ効果的に上記の課題を改善する本考案の提案に到った。
【０００６】
本考案は、上述の従来の問題に鑑みてなされたものであり、発光部材と放熱部材による個別の光源モジュールを容易に取り外し、部材のコストを節約可能な室内照明装置を提供することを目的とする。
【課題を解決するための手段】
【０００７】
本考案にかかる室内照明装置は、ランプハウジング、基板、光源モジュール、透光マスク、および、反射マスクを備える。ランプハウジングは、一端に開口部が形成されており、側壁に通気可能な放熱孔が複数形成されている。基板は、ランプハウジングに収容されており、貫通穴を有する。光源モジュールは、基板のランプハウジングとは反対側に位置している複数の発光部材、及び基板とランプハウジングとの間に位置している放熱部材を有し、発光部材および放熱部材のうちの何れか一方が基板の貫通孔に設けられており、他方が基板に固定されている。透光マスクは開口部に設けられている。反射マスクは、ランプハウジング内に収容されており、基板と透光マスクとの間に設けられている。光源モジュールの発光部材は、反射マスクの内部に突出しており、反射マスクと透光マスクと間に位置している。
【図面の簡単な説明】
【０００８】
【図１】本考案の一実施形態による室内照明装置を示す斜視図である。
【図２】本考案の一実施形態による室内照明装置を示す分解斜視図である。
【図３】本考案の一実施形態による室内照明装置を示す断面図である。
【図４】本考案の一実施形態による室内照明装置を示す要部拡大図である。
【図５】本考案の一実施形態による室内照明装置を示す断面図である。
【考案を実施するための形態】
【０００９】
以下、本考案の実施形態を図面に基づいて説明する。なお、本考案は、以下に説明する実施形態に限定されるものではない。
【００１０】
（一実施形態）
まず、本考案の室内照明用装置の構造の一実施形態について説明する。
本考案の一実施形態の構成を図１から図５に示す。本考案の一実施形態による室内照明装置の構造は、図１、図２に示すように、ランプハウジング１、基板２、複数の光源モジュール３、透光マスク４及び及反射マスク５を備える。図２、図３に示すように、本実施形態のランプハウジング１は、円形のケースを呈し、その底部に開口部１１を有し、且つその周辺に複数の放熱孔１２を有する。ランプハウジング１の内部には複数の放熱孔１２により外へ通気を行う。
【００１１】
なお、図２、図３に示すように、本実施形態の基板２はランプハウジング１に対応し円形を呈し、基板２はランプハウジング１内に収容されている。基板２は複数の貫通穴２１を有し、穴１３が光源モジュール３に対応するよう形成されている。本実施形態では、基板２はランプハウジング１内に水平に収容されると共に、基板２の周縁に複数の突起部２２が設置されている。各突起部２２は、基板２に立設されており、突起部２２の位置に対応しているランプハウジング１の所定箇所では結合部材が貫通されており、基板２とランプハウジング１とが結合される。図４に示すように、本実施形態ではねじ２３が前記結合部材に対応している。ランプハウジング１は、各突起部２２に対応している箇所に穴１３が形成されている。なお、ねじ２３は、穴１３に貫通され、突起部２２に螺設され、基板２をランプハウジング１内に固定する。
【００１２】
更に、図２、図３に示すように、各光源モジュール３は発光部材３１と放熱部材３２を含む。発光部材３１は基板２のランプハウジング１とは反対側に設置されている。放熱部材３２はランプハウジング１と基板２との間に設置されている。放熱部材３２は基板２とランプハウジング１との間に設置されている。発光部材３１および放熱部材３２のいずれかの一つが基板２の貫通穴２１に設けられており、他方が基板２に固定されている。図５に示すように、本実施形態における各光源モジュール３の放熱部材３２は貫通穴２１に貫設可能な接続部３２１を有する。この接続部３２１は本実施形態ではねじ部である。基板２と接続部３２１とが固定部材により結合されることで、放熱部材３２が基板２に固定される。本実施形態では、固定部材は接続部３２１に螺設可能なナット３３である。発光部材３１が発光すると、放出した熱は放熱部材３２により吸入され、熱がランプハウジング１に伝導され、空気と熱交換を行う。ランプハウジング１内に熱交換による熱空気は複数の放熱孔１２を介して外へ流れる。よって、放熱する効果を達成する。
【００１３】
図２、図３に示すように、透光マスク４は基板１の開口部１１側に設けられている。なお、反射マスク５はランプハウジング１に設置されている。反射マスク５は基板２と透光マスク４との間に設けられている。複数の光源モジュール３の発光部材３１は反射マスク５内に突出する。本実施形態の反射マスク５の上端部にはシェルフ部を有する。シェルフ部５１は基板２下に設置されると共に基板２とは平行に設置されている。なお、シェルフ部５１は複数の穴５１１を有する。各穴５１１は各光源モジュール３の発光部材３１に対応している。光源モジュール３の発光部材３１が発光する際に、光線は開口部１１方向から射出する。
【００１４】
基板２上の光源モジュール３が故障する場合、基板２が結合部材によりランプハウジング１に設置されるから、全ての結合部材をランプハウジング１から取外せば基板２をランプハウジング１から取り出すことができる。この場合では基板２上の光源モジュール３の不良品を一々に交換する。つまり、発光部材３１を接続部３２１の一端から取り外し、固定部材を接続部３２１から取り外す。この時の放熱部材３２を基板２から容易に取りすことができ、新しい光源モジュール３を基板２に装設することができる。こうすると、光源モジュール３の交換作業が完了する。
【００１５】
以上に述べたとおりに、基板２に装設される光源モジュール３が故障すると、故障した光源モジュール３を容易に取り外し、新しい光源モジュール３を交換することが可能である。従来技術では複数のＬＥＤがＬＥＤ光源回路基板に装設され、取り外し不可能な技術が掲示されている。しかしながら、従来技術に比べ、本実施形態では一部のＬＥＤのみが故障し発光できない場合、全てのＬＥＤ回路基板を交換する必要がないので、部材の浪費を抑制することができる。
【００１６】
ちなみに、ランプハウジング１の形状を正方形或いは楕円などの幾何形状に変更すると、ランプハウジング１の形状変化に応じて基板２の外観形状を変えると共にねじ２３により突起部２２を貫通し、基板２とランプハウジング１を固着することができる。こうすると、基板２とランプハウジング１の形態を変化する際に、容易に装設することができる。
【００１７】
上述の実施形態は本考案の技術思想及び特徴を説明するためのものにすぎず、当該技術分野を熟知する者に本考案の内容を理解させると共にこれをもって実施することを目的とし、本考案の実用新案登録請求の範囲を限定するものではない。従って、本考案の精神を逸脱せずに行う各種の同様の効果をもつ改良又は交換は実用新案登録請求の範囲に含まれるものである。
【符号の説明】
【００１８】
１・・・ランプハウジング、
１１・・・開口部、
１２・・・放熱孔、
１３・・・穴、
２・・・基板、
２１・・・貫通穴、
２２・・・突起部、  
２３・・・ねじ、
３・・・光源モジュール、        
３１・・・発光部材、
３２・・・放熱部材、        
３２１・・・接続部、
３３・・・ナット、
４・・・透光マスク、
５・・・反射マスク、  
５１・・・シェルフ部、
５１１・・・穴。
【図１】
0003184313.tif 000003
【図２】
0003184313.tif 000004
【図３】
0003184313.tif 000005
【図４】
0003184313.tif 000006
【図５】
0003184313.tif 000007